(57)【要約】【課題】  浄水材として殺菌及び残留塩素の除去の他に、水中の他の有害物質を除去すると共に、所定のミネラル分を含ませるようにする。【解決手段】  浄水材８として、麦飯石10とサンゴ化石11と銅12をそれぞれ有する。麦飯石10を粉状或いは粒状とし、サンゴ化石11を粉状或いは粒状とし、さらに、銅12を繊維のような繊維状とする。麦飯石10によって汚濁物質、有機物質、雑菌などを吸着、分解し、ミネラル分を溶出して水の腐敗を防ぐことができる。サンゴ化石11によって、重金属などを除去できる。銅12によって銅イオンの発生による遊離残留塩素や有害な重金属などを除去し、優れた殺菌力でカルキ臭とトリハロメタンの発生を防ぐことができる。しかも、ミネラル分の溶出等によってミネラルウォーターを生成することができる。【選択図】図１
2005288251.tif 000002
【特許請求の範囲】
【請求項１】
通水可能なケースに浄水材として、麦飯石とサンゴ化石と銅を設けたことを特徴とする浄水器。
【請求項２】
前記麦飯石は粉状体或いは粒状体であり、前記サンゴ化石は粉状体或いは粒状体であり、前記銅は線状体であることを特徴とする請求項１記載の浄水器。
【発明の詳細な説明】
【技術分野】
【０００１】
本発明は、水を収容して浄水するポット型や或いは水道の蛇口に取り付けて浄水したりするなどの浄水器に関するものである。
【背景技術】
【０００２】
従来、この種のものとして流入口と流出口との間に、超極細銅繊維からなる浄水層を設け、そして超極細銅繊維により殺菌効果及び残留塩素の除去効果が長期間高く使用できる浄水器が公知である（例えば特許文献１）。
【特許文献１】実開平５−７０６９７号公報
【発明の開示】
【発明が解決しようとする課題】
【０００３】
飲料水や料理に使用する水は、殺菌効果及び残留塩素の除去を行なうのみでは良好な水とはいえない。飲料水や料理に使用するいわゆるおいしい水は、殺菌及び残留塩素の除去の他に水中の有害物質を除去すると共に、所定のミネラル分が必要である。
【０００４】
しかしながら、前記従来例においては殺菌及び残留塩素の除去を行なうことができるものの、水中の他の有害物質を除去すると共に、所定のミネラル分を含ませることができず、飲用や料理に使用する最適な水を生成することはできない。
【０００５】
解決しようとする問題点は、浄水材として殺菌及び残留塩素の除去の他に、水中の他の有害物質を除去すると共に、所定のミネラル分を含ませる点である。
【課題を解決するための手段】
【０００６】
請求項１の発明は、通水可能なケースに浄水材として、麦飯石とサンゴ化石と銅を設けたことを特徴とする浄水器である。
【０００７】
請求項２の発明においては、前記麦飯石は粉状体或いは粒状体であり、前記サンゴ化石は粉状体或いは粒状体であり、前記銅は線状体であることを特徴とする請求項１記載の浄水器である。
【発明の効果】
【０００８】
請求項１の発明によれば、麦飯石とサンゴ化石により汚濁物質などを吸着、分解し、ミネラル分を溶出し、さらに銅によって殺菌力や、カルキ臭とトリハロメタンの発生を防ぐことができる。
【０００９】
請求項２の発明によれば、水と、麦飯石とサンゴ化石と銅とのそれぞれの接触面積を大きくして汚濁物質などの吸着等の作用を高めることができる。
【発明を実施するための最良の形態】
【００１０】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１１】
図１〜図３は実施例１を示しており、水Ｗを収容する透明なポット本体１は有底であって上方を開口部２としており、ポット本体１の上縁の一側には嘴状の注ぎ口３が形成されている。またポット本体１の中段の他側には取手４が外側に突設している。
【００１２】
ポット本体１の内側の中段には上縁５が開口部２に係止して、貯水槽６が着脱自在に設けられている。この貯水槽６の底面７の下方に浄水材８を設ける。浄水材８は通水可能な円筒形のカセット式のケース９に収容されて、貯水槽６の内側とポット本体１の下段とを連通するように設ける。ケース９はステンレス鋼等の網によって形成され通水可能に形成されている。
【００１３】
前記浄水材８は、粉状或いは粒状の麦飯石10と、粉状或いは粒状のサンゴ化石11と、線状の銅12をそれぞれ有しており、ケース９に収容されたものである。麦飯石10は鉱物岩石の一種であり（別称  健康石、英語でＨＥＡＬＳＴＯＮＥ）、品質は天然で純正無垢、多種の人体に必要な微量元素と希土類を含んでいる。尚、麦飯石10の組成分析表（単位=ｗｔ％）は、例えばＳｉＯ２  ６６．０ｗｔ％（重量法）、Ａｌ２Ｏ３  １５．６ｗｔ％  （ＩＣＰ発光分析法）、Ｆｅ２Ｏ３  １．７０ｗｔ％ （ＩＣＰ発光分析法）、ＦｅＯ  ０．９０ｗｔ％ （容量法）、ＣａＯ  ２．８３ｗｔ％（ＩＣＰ発光分析法）、Ｎａ２Ｏ  ３.８９ｗｔ％（ＩＣＰ発光分析法）、Ｋ２Ｏ  ２．７２ｗｔ％（ＩＣＰ発光分析法）、ＭｇＯ  １．３１ｗｔ％（ＩＣＰ発光分析法）、ＭｎＯ  ０．０５ｗｔ％（ＩＣＰ発光分析法）、ＴｉＯ   ０．４２ｗｔ％（ＩＣＰ発光分析法）、Ｐ２Ｏ５  ０．１３ｗｔ％（ＩＣＰ発光分析法）である。尚、これらの重量配合はプラスマイナス３０％程度、好ましくはプラスマイナス２０％程度の範囲を有する。
【００１４】
前記サンゴ化石11は、コーラリオンとも称せられるものであって、水質調整、抗菌能力は高く、サンゴ自体はもとより、周辺の濾過剤を腐敗させることもないものであって、例えば２０００万年前、第四更新世に誕生した古代サンゴが陸上風化造礁サンゴとして陸上に現れたものを、高温殺菌処理を施して使用するものであり、特に重金属の除去に優れた能力を発揮し、カルシウムを溶出するものである。
【００１５】
前記線状の銅12は純銅或いは銅合金からなる繊維状のものであって、好ましくは純銅からなる直径が１００μｍ（０.１ｍｍ）以下、好ましくは１０〜１００μｍ、好ましくは３０〜５０μｍ程度の極細なものが好ましく、多数本のものが通水可能に隙間を有して一体的に固まっているものである。
【００１６】
尚、図中13は貯水槽６の底面７に形成されケース９が挿入される保持枠であり、保持枠13には通水可能な孔14が形成されている。また、開口部２には蓋15が着脱自在に設けられている。
【００１７】
次に前記構成についてその作用を説明する。まず、麦飯石10とサンゴ化石11と銅12を収容したケース９を保持枠13にセットすることにより、ケース９の上部は貯水槽６の底面７に臨み、一方ケース９の下部は孔14を介してポット本体１の下段に臨んでいる。
【００１８】
そして、適性量の水道等の水Ｗを開口部２からポット本体１へ注ぐと、貯水槽６の水Ｗはケース９の上部から下部、孔14を通り抜けて浄水されて、浄水Ｗはポット本体１の下段に溜まるので、その後蓋15を取り付ける。さらに軽く揺らして５〜６時間程で浄化と共に、活性化されたミネラルウォーターを生成することができる。
【００１９】
浄水の取り出しは、取手４を握ってポット本体１を傾けることによりコップＣなどに注ぎ口３より注ぐことができる。
【００２０】
以上のように前記実施例では、浄水材８として、麦飯石10とサンゴ化石11と銅12をそれぞれ有しているので、麦飯石10によって汚濁物質、有機物質、雑菌などを吸着、分解し、ミネラル分を溶出して水の腐敗を防ぐことができ、またサンゴ化石11によって、重金属などを除去し、さらに銅12によって銅イオンの発生による遊離残留塩素や有害な重金属などを除去し、優れた殺菌力でカルキ臭とトリハロメタンの発生を防ぐことができる。しかも、ミネラル分の溶出等によってミネラルウォーターを生成することができる。
【００２１】
本発明に係る浄水器の実験によれば、水道水を注いで浄水材８を６時間浸漬した状態で、残留塩素  約７５％除去、カルシウム  約３６％上昇、マグネシウム  約１２％上昇、カリウム  約７％上昇、ナトリウム約７％上昇した。
【００２２】
さらに、麦飯石10を粉状或いは粒状とし、サンゴ化石11を粉状或いは粒状とし、さらに、銅12を繊維のような線状とすることにより、水Ｗと麦飯石10、サンゴ化石11、さらには銅12とのそれぞれの接触面積を増大せしめることにより、麦飯石10、サンゴ化石11、銅12による前記作用をいっそう高めることができる。
【産業上の利用可能性】
【００２３】
以上のように本発明にかかる浄水器は、水道の蛇口に取り付けて浄水するなどの用途にも適用できる。
【図面の簡単な説明】
【００２４】
【図１】本発明の実施例１を示す一部を拡大断面とした斜視図である。
【図２】本発明の実施例１を示す水を収容している状態の正面図である。
【図３】本発明の実施例１を示す水を注いでいる状態の正面図である。
【符号の説明】
【００２５】
９  ケース
10  麦飯石
11  サンゴ化石
12  銅
【図１】
2005288251.tif 000003
【図２】
2005288251.tif 000004
【図３】
2005288251.tif 000005